(57)【要約】【課題】  保形性が優れて形状が崩れない、ペット収容用のバッグを提供する。【解決手段】  箱形状に形成された布製のバッグ１１であって、該バッグ１１は、対向する一対の側部１２ａ、１２ｂと、該側部１２ａ、１２ｂに隣接すると共に対向する一対の妻部１３ａ、１３ｂと、該妻部１３ａ、１３ｂに設けられたショルダーベルト１４と、底部１５と、上部に開閉自在に設けられた蓋部１６とを有し、前記側部１２ａ、１２ｂには、腰折れを防止する棒状部材２３、２５、２７が配設されている。【選択図】      図１
2007014462.tif 000002
【特許請求の範囲】
【請求項１】
箱形状に形成された布製のバッグであって、
該バッグは、対向する一対の側部と、該側部に隣接すると共に対向する一対の妻部と、該妻部又は前記側部に設けられたショルダーベルト又は持ち手と、底部と、上部に開閉自在に設けられた蓋部とを有し、
前記側部又は妻部には、腰折れを防止する形状維持手段が設けられていることを特徴とするバッグ。
【請求項２】
前記形状維持手段は、前記側部又は妻部に高さ方向又は幅方向に沿って配設した棒状部材であることを特徴とする請求項１に記載のバッグ。
【請求項３】
前記棒状部材は、前記側部又は妻部に形成した長尺のポケット部に挿入されていることを特徴とする請求項２に記載のバッグ。
【発明の詳細な説明】
【技術分野】
【０００１】
本発明は、小型犬や猫などのペットを収容するためのバッグに関するものであり、更には、保形性に優れて形状が崩れないバッグに関するものである。
【背景技術】
【０００２】
従来、ペットを収容するバッグとしては、次のようなショルダータイプのバッグが知られている。このバッグは、肩にかけるショルダーベルトと、このショルダーベルトの両端部に設けられるペット収容部とから構成される（特許文献１、２参照）。
このバッグを使用するときには、ショルダーベルトを肩にかけて、ペットをペット収容部に収容してから、使用者の腰部又は腹部の近傍でペットを抱えた状態で保持する。
【０００３】
また、ペット用のバッグではないが、箱形で、上部に開口部を有する布製の買物用バッグが知られている（特許文献３参照）。
【特許文献１】特開２００２−１３６３２１号公報
【特許文献２】特開２００４−８７４２号公報
【特許文献３】特開２００３−１４４２１７号公報
【発明の開示】
【発明が解決しようとする課題】
【０００４】
従来例のペット用のバッグにおいては、ペットを身近に抱えてスキンシップが図れるという利点がある反面、ペットを常に抱えている必要があり、バッグを床などに置いてペットから離れることができないという欠点がある。
【０００５】
そこで、従来例の箱形のバッグにペットを収容すれば、ペットを常に抱えている必要がない。しかしながら、この場合は、バッグが布製であるのために、保形性に難点があり、バッグの形状が崩れ易いので、ペットを収容するには適さない。
【０００６】
従って、従来例における箱形のバッグにおいては、保形性を向上させて形状の崩れを防止し、ペットを収納できるようにすることに解決しなければならない課題を有している。
【課題を解決するための手段】
【０００７】
前記従来例の課題を解決する具体的手段として本発明は、箱形状に形成された布製のバッグであって、該バッグは、対向する一対の側部と、該側部に隣接すると共に対向する一対の妻部と、該妻部又は前期側部に設けられたショルダーベルト又は持ち手と、底部と、上部に開閉自在に設けられた蓋部とを有し、前記側部又は妻部には、腰折れを防止する形状維持手段が設けられていることを特徴とするバッグを提供するものである。
【０００８】
また、前記形状維持手段は、前記側部又は妻部に高さ方向又は幅方向に沿って配設した棒状部材である構成としたものであり、そして、前記棒状部材は、前記側部又は妻部に形成した長尺のポケット部に挿入されている構成としたものである。
【発明の効果】
【０００９】
本発明に係るバッグは、箱形状に形成された布製のバッグであって、該バッグは、対向する一対の側部と、該側部に隣接すると共に対向する一対の妻部と、該妻部又は前期側部に設けられたショルダーベルト又は持ち手と、底部と、上部に開閉自在に設けられた蓋部とを有し、前記側部又は妻部には、腰折れを防止する形状維持手段が設けられていることによって、保形性が向上してバッグの形が崩れない。従って、バッグにペットを収容することが可能であり、バッグを持ち運んだり、床などに載置することができるという優れた効果を奏する。
【００１０】
また、形状維持手段は、側部又は妻部に高さ方向又は幅方向に沿って配設した棒状部材であることによって、側部又は妻部が棒状部材に保持されて腰折れせず、保形性が向上するという優れた効果を奏する。
【００１１】
そして、棒状部材は、側部又は妻部に形成した長尺のポケット部に挿入されていることによって、棒状部材をポケット部から取り出すことができるので、洗濯時などに都合がよいという優れた効果を奏する。
【発明を実施するための最良の形態】
【００１２】
次に、本発明の実施の形態について図面を参照しながら説明する。まず、図１及び図２において、符号１１はバッグを示し、このバッグ１１は、箱形状に形成されており、対向する一対の側部１２ａ、１２ｂと、この側部１２ａ、１２ｂに隣接すると共に対向する一対の妻部１３ａ、１３ｂと、この妻部１３ａ、１３ｂに取り付けられたショルダーベルト１４と、底部１５と、上部に開閉自在に設けられた蓋部１６とから構成される。
【００１３】
側部１２ａ、１２ｂ、妻部１３ａ、１３ｂ、及び底部１５は、それぞれ長方形状を呈し、綿又は合成繊維などの布製材料で形成されており、適度の剛性と柔軟性とを有している。なお、綿などの場合は、一度洗濯処理を施した布を用いることが望ましい。何故ならば、後でバッグ１１を洗濯したときに縮み難いからである。
【００１４】
また、側部１２ａ、１２ｂ、妻部１３ａ、１３ｂ、及び底部１５は、それぞれの隣接部位を縫合して箱形に形成してもよく、あるいは、妻部１３ａ、１３ｂと底部１５とを一体の布製材料で形成してもよい。要するに、各部位を別部材で形成しても、隣接する部位同士を一体の布製材料で形成してもよいのである。
【００１５】
一方の側部１２ａには、メッシュ布１７が張設された大型の窓部１８が設けられており、この窓部１８から空気が流通できるようになっている。また、側部１２ａの下部側には、目隠し布１９が折曲げ自在に設けられており、この目隠し布１９で窓部１８を塞ぐことができるようになっている。更に、目隠し布１９の上端部には、ホック２０が取り付けられていると共に、側部１２ａの上部にも、前記ホック２０と対応する位置にホック２１が取り付けられており、ホック２０とホック２１とを嵌合させて目隠し布１９の目隠し状態を維持できる。
【００１６】
更に、一方の側部１２ａの内側における両方の端部には、図３に示すように、高さ方向に沿って長尺のポケット部２２が形成されている。ポケット部２２は、側部１２ａの高さ方向の寸法よりもやや短めに形成されており、その上部には封止片２２ａが設けられている。封止片２２ａは、図示しない面ファスナーにより開閉自在に形成されている。
【００１７】
ポケット部２２には、長尺の棒状部材２３（形状維持手段）が挿入されている。棒状部材２３は、金属又はプラスチック等の適宜の材質で形成されている。
このように、側部１２ａに棒状部材２３が設けられていることによって、側部１２ａが棒状部材２３に保持されて腰折れせず、保形性が向上して、高さ方向の形状維持がなされるのである。
【００１８】
同様に、一方の側部１２ａの内側における上端部には、図３に示すように、幅方向に沿って長尺のポケット部２４が形成されている。ポケット部２４は、側部１２ａの幅方向の寸法よりもやや短めに形成されており、一端部には封止片２４ａが設けられている。封止片２４ａは、図示しない面ファスナーにより開閉自在に形成されている。
【００１９】
ポケット部２４には、長尺の棒状部材２５（形状維持手段）が挿入されている。棒状部材２５は、金属又はプラスチック等の適宜の材質で形成されている。
このように、側部１２ａに棒状部材２５が設けられていることによって、側部１２ａが棒状部材２５に保持されて腰折れせず、保形性が向上して、幅方向の形状維持がなされるのである。
【００２０】
他方の側部１２ｂは、やや厚めに形成されており、内部に図示しないクッション材が挿入されて、弾性を有している。
【００２１】
更に、他方の側部１２ｂの内側における上端部には、図４に示すように、幅方向に沿って長尺のポケット部２６が形成されている。ポケット部２６は、側部１２ｂの幅方向の寸法よりもやや短めに形成されており、一端部には封止片２６ａが設けられている。封止片２６ａは、図示しない面ファスナーにより開閉自在に形成されている。
【００２２】
ポケット部２６には、長尺の棒状部材２７（形状維持手段）が挿入されている。棒状部材２７は、金属又はプラスチック等の適宜の材質で形成されている。
このように、側部１２ｂに棒状部材２７が設けられていることによって、側部１２ｂが棒状部材２７に保持されて腰折れせず、保形性が向上して、幅方向の形状維持がなされるのである。
【００２３】
妻部１３ａ、１３ｂは、ポケット２８が形成されており、ここから小物等が収納できるようになっている。また、ポケット２８の内側には、メッシュ布２９が張設されており、ここから空気が流通できるようになっている。
【００２４】
ショルダーベルト１４は、綿などの布製材料で形成されており、両方の端部１４ａ、１４ａ側が妻部１３ａ、１３ｂに取付金具３８を介して取り付けられている。
なお、ショルダーベルト１４の替わりに、側部１２ａ、１２ｂにアーチ状の持ち手を設けてもよい（図示せず）。
【００２５】
底部１５の上部には、図示しない板状の底板部材が配設されており、バッグ１１の中にペットなどを収容したときに、底部１５が湾曲するのを防いでいる。
【００２６】
蓋部１６は、略長方形状を呈して布製材料で形成されている。また、蓋部１６の端縁と側部１２ａ、１２ｂ、妻部１３ａ、１３ｂの上縁部近傍とに沿ってスライドファスナー３１が設けられており、このスライドファスナー３１を閉じたり開けたりできるようになっている。そして、蓋部１６は、連結部１６ａを介して側部１２ｂに連結されており、蓋部１６が開閉自在に形成されている。
【００２７】
また、蓋部１６には、メッシュ布３９が張設された窓部３２が設けられており、この窓部３２から空気が流通できるようになっている。そして、窓部３２には、目隠し布３３が設けられており、この目隠し布３３で窓部３２を塞ぐことができるようになっている。
【００２８】
目隠し布３３の端部には、面ファスナー３４が縫着されていると共に、窓部３２の端部にも、前記面ファスナー３４と対応する位置に面ファスナー３５が逢着されている。つまり、面ファスナー３４と面ファスナー３５とを係止させて目隠し布３３の目隠し状態を維持できるようになっている。
【００２９】
更に、目隠し布３３の内側における中央部には、ホック３６が取り付けられていると共に、側部１２ｂの上部近傍にも、前記ホック３６と対応する位置にホック３７が取り付けられている。従って、目隠し布３３をロール状に巻いて、ホック３６とホック３７とを嵌合させれば、窓部３２の開状態を維持できるようになっている。
【００３０】
以上のように構成されるバッグ１１は、側部１２ａ、１２ｂに棒状部材２３、２５、２７が設けられているので、高さ方向及び幅方向の形状維持がなされ、腰折れせずに保形性が向上する。従って、バッグ１１にペットを収容でき、バッグ１１を持ち運んだり、床などに載置することができる。
また、棒状部材２３、２５、２７は、長尺のポケット部２４、２６、２８に挿入されているので、容易に取り出すことができ、洗濯するときなどに便利である。
なお、側部１２ａ、１２ｂに棒状部材２３、２５、２７を設けた実施例を示したが、妻部１３ａ、１３ｂに対して同様の棒状部材を設けてもよいことは勿論である。
【図面の簡単な説明】
【００３１】
【図１】本発明に係るバッグ１１の斜視図である。
【図２】本発明に係るバッグ１１の一部を破断した斜視図である。
【図３】側部１２ａの内側を示す正面図である。
【図４】側部１２ｂの内側を示す正面図である。
【符号の説明】
【００３２】
１１  バッグ
１２ａ、１２ｂ  側部
１３ａ、１３ｂ  妻部
１４  ショルダーベルト
１４ａ端部
１５  底部
１６  蓋部
１６ａ連結部
１７  メッシュ布
１８  窓部
１９  目隠し布
２０、２１  ホック
２２  ポケット部
２２ａ封止片
２３  棒状部材（形状維持手段）
２４  ポケット部
２４ａ封止片
２５  棒状部材（形状維持手段）
２６  ポケット部
２６ａ封止片
２７  棒状部材（形状維持手段）
２８  ポケット
２９  メッシュ布
３１  スライドファスナー
３２  窓部
３３  目隠し布
３４、３５  面ファスナー
３６、３７  ホック
３８  取付金具
３９  メッシュ布
【図１】
2007014462.tif 000003
【図２】
2007014462.tif 000004
【図３】
2007014462.tif 000005
【図４】
2007014462.tif 000006